(57)【特許請求の範囲】
【請求項１】
移動局がセル端の地域に属するか否かを判別する手段と、
セル端の移動局数及びセル端以外の地域の移動局数の比率に合わせてシステムで使用される周波数帯域を区分けし、区分けされた帯域毎に異なる送信電力を設定する手段と、
移動局に無線リソースを割り当てるために周波数スケジューリングを行う手段と、
を有することを特徴とする無線アクセスネットワーク装置。
【請求項２】
セル端の移動局にセル端周波数が割り当てられ、セル端以外の地域の移動局にセル端周波数とは異なる非セル端周波数が割り当てられ、
セル端周波数は、セル毎に異なる第1帯域を含み、
非セル端周波数は、自セルを含む複数のセルに共通する第２帯域と、隣接セルのセル端周波数に等しい第３帯域とを含む
ことを特徴とする請求項１記載の無線アクセスネットワーク装置。
【請求項３】
第２帯域で送信される信号の送信電力は、第１帯域で送信される信号の送信電力より小さく、第３帯域で送信される信号の送信電力より大きい
ことを特徴とする請求項１記載の無線アクセスネットワーク装置。
【請求項４】
移動局から報告された下りリンクの干渉電力に基づいて、移動局がセル端に属するか否かが判別される
ことを特徴とする請求項１記載の無線アクセスネットワーク装置。
【請求項５】
セル各々の総送信電力が一定のレベルに揃えられる
ことを特徴とする請求項１記載の無線アクセスネットワーク装置。
【請求項６】
或るセルにおける第１帯域での信号送信と、隣接セルにおける第３帯域での信号送信とが異なる時間に行われるよう制御される
ことを特徴とする請求項１記載の無線アクセスネットワーク装置。
【請求項７】
無線アクセスネットワーク装置で使用される方法であって、
移動局がセル端の地域に属するか否かを判別するステップと、
セル端の移動局数及びセル端以外の地域の移動局数の比率に合わせてシステムで使用される周波数帯域を区分けし、区分けされた帯域毎に異なる下り送信電力を設定するステップと、
移動局に無線リソースを割り当てるために周波数スケジューリングを行うステップと、
を有することを特徴とする方法。
【請求項８】
区分けされた帯域毎に設定される送信電力が、各基地局で独自に決定される
ことを特徴とする請求項７記載の方法。
【請求項９】
移動局及び下り送信電力の対応関係と、無線リソースの割り当て内容とが別々に決定される
ことを特徴とする請求項７記載の方法。
【請求項１０】
周波数帯域を区分けする境界が、トラフィック量に応じて異なるよう制御される
ことを特徴とする請求項７記載の方法。
【請求項１１】
区分けされた帯域毎に異なる下り送信電力が割り当てられる際に、隣接セル間の干渉が小さくなるように送信電力が割り当てられる
ことを特徴とする請求項７記載の方法。
【請求項１２】
区分けされた帯域毎に異なる下り送信電力が割り当てられる際に、隣接セルの一方の信号送信が禁止される
ことを特徴とする請求項７記載の方法。
【発明の詳細な説明】
【技術分野】
【０００１】
本発明は移動通信の技術分野に関し、特に無線アクセスネットワーク装置及び方法に関する。
【背景技術】
【０００２】
従来の時分割多重接続（TDMA）方式の移動通信システムでは隣接セルで互いに異なる周波数が使用されている。ある一群の周波数が複数のセル一組に使用され、地理的に離れた別のセル一組に同じ一群の周波数が使用される。このような手法は他セル干渉を軽減する観点からは好ましいが、周波数利用効率が高いとは言えない。
【０００３】
これに対してIMT−2000のようなW−CDMA方式では拡散符号でユーザを区別することで全セルで同じ周波数が使用され、「１セル周波数繰り返し」が実現されている。これにより周波数利用効率及びシステム容量が大幅に増える。しかしながら同一周波数が隣接セル間で使用されるので、特にセル端で干渉レベルが大きくなりやすいという問題が懸念される。この問題に関し、干渉コーディネーション(interference  coordination)と呼ばれる技法が提案されている。この技法では全セルで共通の周波数が使用されることに加えて、セル端ではセル毎に異なる周波数が使用される。
【０００４】
図１は干渉コーディネーションが行われる場合の周波数利用状況を示す。周波数帯域ｂは全セルに共通する帯域であり、周波数帯域a1,a2,a3は個々のセルで別々に使用される帯域である。図示の都合上、周波数帯域a1,a2,a3,bが同程度の帯域を有するように描かれているが、実際には周波数帯域ｂは非常に広く、周波数帯域a1,a2,a3は比較的狭いことに留意を要する。周波数帯域a1,a2,a3はセル端のユーザに割り当てる周波数であり、周波数帯域ｂはセル端以外の領域のユーザ（例えば、基地局近傍に位置するユーザ等）に割り当てる周波数である。セル１のセル端に属するユーザには周波数a1が使用され、隣接セルで周波数a1は使用されない。同様にセル２のセル端に属するユーザには周波数a2が使用され、隣接セルで周波数a2は使用されない。セル３のセル端に属するユーザには周波数a3が使用され、隣接セルで周波数a3は使用されない。従ってセル１，セル２，セル３各々のセル端のユーザは干渉の少ない状態で通信を行うことができる。干渉コーディネーションについては例えば非特許文献１に記載されている。
【非特許文献１】3GPP R1-060670, Siemens, “Interference Mitigation by Partial Frequency Reuse”
【発明の開示】
【発明が解決しようとする課題】
【０００５】
干渉コーディネーションではセル端のユーザ用の周波数a1,a2,a3はセル1,2,3でそれぞれ専有される。従ってセル端のユーザに割り当てる周波数の利用効率が良くないという問題点がある。また、セル毎に周波数帯域a1,a2,a3を明確に設定することが容易でない状況もある。状況によってはセル境界が明確でなく、セル端で使用すべき周波数を事前に明確に決定しにくい通信環境では干渉が充分に抑制されないという問題もある。
【０００６】
本発明は、セル端での周波数利用効率を向上させ、他セル干渉を充分に抑制する無線アクセスネットワーク装置及び方法を提供することである。
【課題を解決するための手段】
【０００７】
本発明では、移動局がセル端の地域に属するか否かを判別する手段と、セル端の移動局にセル端周波数を割り当て、セル端以外の地域のユーザにセル端周波数とは異なる非セル端周波数を割り当てる手段とを有する無線アクセスネットワーク装置が使用される。セル端周波数は、セル毎に異なる第1帯域を含む。非セル端周波数は、自セルを含む複数のセルに共通する第２帯域と、隣接セルのセル端周波数に等しい第３帯域とを含む。
【発明の効果】
【０００８】
本発明によれば、セル端での周波数利用効率を向上させ、他セル干渉を充分に抑制することができる。
【発明を実施するための最良の形態】
【０００９】
本発明の一態様ではセル端の移動局にセル端周波数が割り当てられ、セル端以外の地域のユーザにセル端周波数とは異なる非セル端周波数が割り当てられる。セル端周波数は、セル毎に異なる第1帯域を含む。非セル端周波数は、自セルを含む複数のセルに共通する第２帯域と、隣接セルのセル端周波数に等しい第３帯域とを含む。第２帯域で送信される信号の送信電力は、第１帯域で送信される信号の送信電力より小さく設定されてよい。第1，第２帯域で送信される信号の送信電力は、第３帯域で送信される信号の送信電力より大きく設定されてもよい。これにより、セル端での周波数利用効率を改善しつつ他セル干渉を抑制することができる。
【００１０】
無線アクセスネットワーク装置は、基地局より上位の装置（上位局）を含んでも含まなくてもよい。他セル干渉を確実に抑制する観点からは、上位局で周波数及び送信電力の割り当てが制御されることが望ましい。
【００１１】
移動局がセル端に居るか否かを簡易に判別する観点からは、移動局から報告された下りリンクの干渉電力に基づいて、移動局がセル端に属するか否かが判別されてもよい。
【００１２】
また、セル各々の総送信電力が一定のレベルに揃えられてもよい。
【００１３】
セル端での他セル干渉を確実に抑制する観点からは、或るセルにおける第１帯域での信号送信と、隣接セルにおける第３帯域での信号送信とが異なる時間に行われるよう制御されることが望ましい。
【実施例１】
【００１４】
図２は本発明の一実施例による移動局UE及び基地局又はノードＢ（NodeB）を示す。移動局は受信品質測定部２１及び受信品質通知部２２を有する。受信品質測定部２１は基地局から受信した信号（例えば、下りパイロットチャネル）の品質を測定する。品質は様々な量で表現されてよく、干渉電力、ジオメトリその他の適切な如何なるチャネル状態情報CQI（Channel  quality  indicator）で表現されてよい。受信品質通知部２２は測定値を基地局に送信する。
【００１５】
基地局は各UEのグループ化制御部２４、各グループへの送信電力及び割り当てリソースブロック数（RB数）の決定部２５、各RBの送信電力決定部２６、周波数スケジューリング部２７及び送信電力補正部２８を有する。
【００１６】
各UEのグループ化制御部２４は、各UEから報告される受信品質に基づいて、UEを1以上のグループに分ける。例えば図３に示されるようにUE1~8の各々から報告された干渉電力に基づいて、UE1~8が３つのグループに分けられる。グループ分けは例えば干渉電力が或る閾値を超えるか否かで判断されてよい。図示の例では２つの閾値が用意され、グループが３つ形成されているが、用意される閾値数及びグループ数はいくつでもよい。図３ではUE1,UE6,UE5の干渉電力が第1閾値を超え、それらは第1グループに属する。典型的にはそのような第1グループに属する移動局はセル端に位置する。UE2,UE8の干渉電力は第１閾値を下回るが第２閾値を超え、それらは第２グループに属する。それ以外の移動局の干渉電力は第２閾値を下回り、第３グループに属する。典型的には第３グループに属する移動局は基地局近傍に位置していたり見通しのよい場所に位置する。
【００１７】
各グループへの送信電力及び割り当てRB数の決定部２５は、グループ化制御部２４でのグループ判別結果に応じて、グループ毎に送信電力を決定する。概して干渉電力の大きいグループに属するUEには大きな送信電力が必要となり、干渉電力の小さいグループに属するUEには小さな送信電力ですむ。決定部２５はUE1~8に割り当てるリソースブロック数（RB数）を決定する。本実施例では無線リソースは或る狭帯域幅の周波数ブロックを割り当ての１単位とし、移動局はチャネル状態及びデータ量に依存して１以上のリソースブロックを用いて通信を行う。
【００１８】
RBの送信電力決定部２６は、決定された送信電力の値とリソースブロックを個々に対応付ける。但し、この段階ではどの移動局UEにどのリソースブロックが対応付けられるかは決定されない。どのリソースブロックにどの送信電力値を対応付けるかは、各基地局で独自に決定され、図４Ａや図４Ｂに示されるように様々に設定されてよい。図示の例では簡明化のため移動局総数（８つ）に対応して８つのリソースブロックが示されているが、上述したように移動局は１以上のリソースブロックを使用可能であるので、図示されている以上のリソースブロック数が使用されてもよい。リソースブロックと送信電力値の対応関係（又は割り当てパターン）は各基地局で適宜変更されてよい。
【００１９】
周波数スケジューリング部２７は、各移動局から報告されたリソースブロック毎のチャネル状態の良否だけでなく上記のリソースブロック毎に決定されている送信電力値をも考慮して各移動局にどのリソースブロックを割り当てるかを決定する。送信電力値を考慮してスケジューリングが行われる点は従来の周波数スケジューリングと大きく異なる。より具体的には、上記のグループ判別結果から第１グループに属するUE1,UE6,UE5は干渉電力が大きいので大きな送信電力のリソースブロックを割り当てることが望ましい。第３グループに属するUE3,UE4,UE7の干渉電力は小さいので小さな送信電力のリソースブロックを割り当てることができる。第２グループに属するUE2,UE8には、第1グループの送信電力より小さく第３グループの送信電力より大きい電力のリソースブロックを割り当てることが望ましい。
【００２０】
具体的には図４Ａの送信電力割当パターンが使用される場合にはUE1,UE6,UE5にRB1,RB2,RB4が割り当てられ、UE2,UE8にRB3,RB5が割り当てられ、UE3,UE4,UE7にRB6,RB7,RB8が割り当てられることが望ましい。同様に、図４Ｂの送信電力割当パターンが使用される場合にはUE1,UE6,UE5にRB3,RB5,RB6が割り当てられ、UE2,UE8にRB1,RB8が割り当てられ、UE3,UE4,UE7にRB2,RB4,RB7が割り当てられることが望ましい。移動局とリソースブロックの更に詳細な対応関係はチャネル状態に応じて決定される。例えば、図４ＡのパターンでUE1,UE6,UE5にRB1,RB2,RB4が割り当てられる場合に、UE1のリソースブロック毎のチャネル状態に応じてRB1,RB2,RB4の何れかが割り当てられる。上記の例において、例えばUE1, UE6, UE5はRB1, RB2, RB4に基本的に割り当てられるが、実際のリソースブロック割り当ては周波数スケジューリングにおいて行われるので、瞬時のチャネル状態によって、その他のリソースブロックに割り当てられることが望ましい場合もある（これは後述の第３実施例でも成り立つ）。
【００２１】
送信電力補正部２８は、決定された送信電力（厳密には電力比率）で各移動局に信号を送信する場合に、総送信電力に応じて必要に応じて調整を行う。例えばセル間で総送信電力が同じになるように取り決めがなされている場合には、その総送信電力の範疇で上記の送信電力パターンが実現されるように、電力値が補正される。
【００２２】
本実施例によれば、各リソースブロックで使用される送信電力の割当パターン（図４Ａ，４Ｂ）が各セルで独自に決定される。従って割当パターンがセル間で異なっている限り、セル端の移動局の受ける干渉は少なく抑制される。例えば第１のセルで図４Ａのパターンが使用され、隣接する第２のセルで図４Ｂのパターンが使用されていたとする。この場合、第１のセルのセル端に位置する移動局にはRB1,RB2,RB4の周波数で大きな送信電力で信号が送信されるが、第２のセルのセル端に位置する移動局にはRB3,RB5,RB6の周波数で大きな送信電力で信号が送信される。従ってセル端の移動局は隣接セルから大きな干渉を受けない。第1のセル端に位置する移動局はRB1,RB2,RB4の周波数を使用し、この周波数は第２のセルでも使用されているが、第２のセルでは送信電力を小さく抑制してそれらを使用しているので、第1セルのセル端に大きな干渉を及ぼさないと考えられる。同様に、第２のセル端に位置する移動局はRB3,RB5,RB6の周波数を使用し、この周波数は第１のセルでも使用されているが、第１のセルでは送信電力を小さく抑制してそれらを使用しているので、第２セルのセル端に大きな干渉を及ぼさないと考えられる。本実施例によればセル端でも干渉を効果的に抑制しつつ周波数利用効率を改善することができる。
【実施例２】
【００２３】
図５は本発明の一実施例による移動局UE及び基地局（ノードＢ）を示す。図２に示される例と同様に、移動局は受信品質測定部２１及び受信品質通知部２２を有し、重複的な説明は省略される。また、図２に示される例と同様に、基地局は各UEのグループ化制御部２４、各グループへの送信電力決定部２５’、周波数スケジューリング部２７及び送信電力補正部２８を有する。
【００２４】
各UEのグループ化制御部２４は、各UEから報告される受信品質に基づいて、UEを1以上のグループに分ける。
【００２５】
各グループへの送信電力決定部２５’は、グループ化制御部２４でのグループ判別結果に応じて、グループ毎に送信電力を決定する。概して干渉電力の大きいグループに属するUEには大きな送信電力が必要となり、干渉電力の小さいグループに属するUEには小さな送信電力ですむ。図３に示されるようにグループ分けがなされたとすると、第１グループのUE1,UE6,UE5には大きな送信電力P1が使用され、第２グループのUE2,UE8には中程度の送信電力P2が使用され、第３グループのUE3,UE4,UE7には小さな送信電力P3が使用されるよう決定される。但し、どの移動局UEにどのリソースブロックが対応付けられるかは送信電力決定部２５’では決定されず、それは周波数スケジューリング部２７で決定される。
【００２６】
周波数スケジューリング部２７は、各移動局から報告されたリソースブロック毎のチャネル状態の良否に応じて各移動局にどのリソースブロックを割り当てるかを決定する。
【００２７】
説明の便宜上、送信電力決定部２５’での処理の後に周波数スケジューリング部２７での処理がなされるように図示されているが、これらの処理は独立に行うことができるので、それらの順序は図示の通りでもよいし、逆の順序でもよいし、全部又は一部の処理が同時に行われてもよい。いずれにせよ、双方の処理結果に基づいて、どのリソースブロックでどの移動局にどの程度の送信電力で送信を行うかが決定される。
【００２８】
送信電力補正部２８は、決定された送信電力（厳密には電力比率）で各移動局に信号を送信する場合に、総送信電力に応じて必要に応じて調整を行う。例えばセル間で総送信電力が同じになるように取り決めがなされている場合には、その総送信電力の範疇で上記の送信電力パターンが実現されるように、電力値が補正される。
【００２９】
本実施例でも、各リソースブロックで使用される送信電力の割当パターンが各セルで独自に決定される。従って割当パターンがセル間で異なっている限り、第1実施例と同様に、セル端の移動局の受ける干渉は少なく抑制される。但し、送信電力及びリソースブロックの割当手順が第1実施例の場合と若干異なる。本実施例ではグループ分けの結果に応じて個々の移動局と送信電力の関係が周波数スケジューリングによらず１対１に決定される。この点、送信電力を加味しながら周波数スケジューリングが行われる第1実施例の手法と異なる。そして、送信電力とは別に、各移動局から報告されたリソースブロック毎のチャネル状態の良否に応じて各移動局にどのリソースブロックを割り当てるかが周波数スケジューリング部（スケジューラ）で決定される。
【００３０】
図６上側に示されるようにグループ分けの結果に応じて各UEの送信電力P1,P2,P3が決定される。各UEのチャネル状態に応じて各UEに使用されるリソースブロックも別に決定される。これらの結果が合成され、図６Ｂ下側に示されるように、移動局毎に送信電力及びリソースブロックの割り当てが確定する。このように決定された割当パターンは各セルで独立して決定されるので、割当パターンがセル間でたまたま同じならない限り、セル端でも干渉を効果的に抑制しつつ周波数利用効率を改善することができる。
【実施例３】
【００３１】
図７は本発明の一実施例による移動局UE及び基地局（ノードB）を示す。図２に示される例と同様に、移動局は受信品質測定部２１及び受信品質通知部２２を有し、重複的な説明は省略される。本実施例では、第１及び第２実施例とは異なり、無線リソース及び送信電力の割り当ては例えば無線ネットワークコントローラ(RNC)のような基地局の上位局でなされる。基地局は受信品質通知部２３を用いて移動局から報告された受信品質や自セルで測定した測定値等を上位局に転送する。
【００３２】
ちなみに、全実施例に関し無線リソース及び送信電力の割り当ては無線アクセスネットワーク装置（RAN）でなされるが、第1及び第２実施例では基地局が主な処理を行い、第３実施例以降ではＲＮＣのような上位局が主な処理を行う。
【００３３】
上位局は各UEのグループ化制御部２４、各グループへの送信電力及び割当ＲＢ数の決定部２５、各ＲＢの送信電力決定部２６、周波数スケジューリング部２７及び送信電力補正部２８を有する。上位局は図２に示される第１実施例の基地局と同様の構成及び機能を有するが、送信電力及びリソースブロックの割り当てが、同一セル内だけでなくセル間にさえも配慮して行われる点で説明済みの手法と異なる。
【００３４】
各UEのグループ化制御部２４は、各UEから報告される受信品質に基づいて、UEを1以上のグループに分ける。グループ分けはセル毎に行われる。
【００３５】
各グループへの送信電力及び割り当てRB数の決定部２５は、グループ化制御部２４でのグループ判別結果に応じて、グループ毎に送信電力を決定する。概して干渉電力の大きいグループに属するUEには大きな送信電力が必要となり、干渉電力の小さいグループに属するUEには小さな送信電力ですむ。決定部２５は移動局に割り当てるリソースブロック数（RB数）も決定する。
【００３６】
RBの送信電力決定部２６は、決定された送信電力の値とリソースブロックを個々に対応付ける。この段階ではどの移動局UEにどのリソースブロックが対応付けられるかは決定されず、それは周波数スケジューリング部２７で決定される。
【００３７】
周波数スケジューリング部２７は、各移動局から報告されたリソースブロック毎のチャネル状態の良否及び決定された送信電力値に応じて各移動局にどのリソースブロックを割り当てるかを決定する。
【００３８】
送信電力補正部２８は、決定された送信電力（厳密には電力比率）で各移動局に信号を送信する場合に、総送信電力に応じて必要に応じて調整を行う。
【００３９】
本実施例では、各リソースブロックで使用される送信電力の割当パターンは、割当パターンがセル間で異なるように決定される。この点、各セルで独自に決定される第１及び第２実施例の手法と異なる。従って割当パターンがセル間で異なることが確実に維持され、セル端でも干渉を効果的に抑制しつつ周波数利用効率を改善することができる。
【００４０】
図８は本実施例が使用される場合の周波数利用状況を示す。周波数帯域ｂは全セルに共通する帯域であり、周波数帯域a1,a2,a3は個々のセルのセル端のユーザに使用される帯域である。本実施例では更に周波数帯域a1,a2,a3がセル端以外のユーザにも割り当てられるよう設定される。セル１のセル端に属するユーザには周波数a1が使用される。隣接セル２，セル３でも周波数a1が使用されるが、セル２の基地局近辺や、セル３の基地局近辺のユーザにしか周波数a1は使用されない。図示されるようにセル１では周波数a1の送信電力p1が最大であり、周波数ｂの送信電力p2が次に大きく、周波数a2,a3の送信電力p3は最低に設定される。従ってセル２，セル３で使用される周波数a1は、セル１のセル端のユーザに大きな干渉を及ぼさないと考えられる。同様に、セル１，セル３で使用される周波数a2は基地局近辺のユーザにしか使用されないので、セル１，セル３で使用される周波数a2は、周波数a2を使用するセル２のセル端のユーザに大きな干渉を及ぼさないと考えられる。セル１，セル２で使用される周波数a3は基地局近辺のユーザにしか使用されないので、セル１，セル２で使用される周波数a3は、周波数a3を使用するセル３のセル端のユーザに大きな干渉を及ぼさないと考えられる。周波数帯域幅は必要なトラフィック量やチャネル状況に応じて適宜変更されてよい。このように本実施例によれば、各セルで周波数の使用パターン及び送信電力を一元管理することで、セル端での干渉を抑制し、周波数利用効率を改善することができる。また、個々のセルで周波数帯域a1,a2,a3を適切に設定することが困難な状況でも、個々のセルを制御する上位局で周波数が決定されるので、セル端での干渉を更に効果的に軽減することができる。
【実施例４】
【００４１】
本発明の第４実施例では、基地局は隣接セルからの干渉電力を測定し、移動局の報告値に加えてその測定結果も上位局に報告する。上位局は第３実施例と同様な構成及び機能を有し、セル毎に移動局をグループ化し、必要な送信電力値及びリソースブロックを特定し、送信電力とリソースブロックの対応関係を決定する。この場合に、或るセルで大きな送信電力に設定されるリソースブロックについて、他のセルでは小さな送信電力が設定されるように、割当パターンが決定される。
【００４２】
図９は割当パターンが決定される様子及びセル１での他セル干渉量を示す。先ずセル１でリソースブロックRBと送信電力の対応関係が決定されたとする。セル２はセル１に大きな干渉を与えているので、セル１，セル２の間で大きな送信電力が同じリソースブロックで使用されないように配慮される。セル１ではRB1,RB3,RB8で大きな送信電力が使用され、セル２でこれらのリソースブロックで大きな送信電力が使用されないように配慮される。その結果、セル２ではRB2,RB7で大きな送信電力が使用されることになっている。同様にセル１に大きな干渉の影響を及ぼしているセル４についても、大きな送信電力が同じリソースブロックで使用されないように配慮される。セル１，２ではRB1,RB3,RB8及びRB2,RB7で大きな送信電力が使用されているので、セル４でこれらのリソースブロックで大きな送信電力が使用されないように配慮される。その結果、セル４ではRB4,RB6で大きな送信電力が使用されることになっている。このように干渉の影響の大きなセルに順に配慮することで、システム全体で干渉量を効果的に減らすことができる。
【実施例５】
【００４３】
図１０は本発明の一実施例による移動局UE及び基地局（ノードＢ）を示す。図２に示される例と同様に、移動局は受信品質測定部２１及び受信品質通知部２２を有し、重複的な説明は省略される。本実施例でも無線リソース及び送信電力の割り当ては基地局の上位局でなされる。基地局は受信品質通知部２３を用いて移動局から報告された受信品質や自セルで測定した測定値等を上位局に転送する。
【００４４】
上位局は周波数スケジューリング部２７及び送信電力補正部２８を有する。
【００４５】
周波数スケジューリング部２７は、各移動局から報告されたリソースブロック毎のチャネル状態の良否及び決定された送信電力値に応じて各移動局にどのリソースブロックを割り当てるかを決定する。周波数スケジューリング部２７は基地局の上位局に設けられるので、その上位局配下の１以上のセルの周波数スケジューリングが統括的に行われる。
【００４６】
送信電力補正部２８は、決定された送信電力（厳密には電力比率）で各移動局に信号を送信する場合に、総送信電力に応じて必要に応じて調整を行う。
【００４７】
本実施例ではセル端の移動局に関し、アクティブセットが定義される。このアクティブセットは、ソフトハンドオーバ時のアクティブセットと同様に、セル端の移動局の接続セル及びそれに隣接するセルを含む。
【００４８】
図１１は本実施例による動作を説明するための図である。一例として、セル１にユーザＡ，Ｂが属し、セル２にユーザＣ，Ｄが属し、セル３にユーザＥ，Ｆが属し、ユーザＢ及びユーザＦがセル端に位置するものとする。また、アクティブセット数はそれぞれ２であるとする、即ち、ユーザＢに関してアクティブセットはセル１及びセル２であり、ユーザＦに関してアクティブセットはセル３及びセル２である。
【００４９】
セル１でのリソース割当が図１１に示されるように決定されたとすると、次にセル２でのリソース割当が決定される。リソースブロックRB2はセル１でセル端のユーザＢに割り当てられている。この場合、アクティブセットに含まれるセルは、リソースブロックRB2で信号を送信しないようにする。図示の例ではセル２はRB2での信号送信を禁止する（ミューティングとも呼ばれる。）。同様に図示の例ではセル３でリソースブロックRB5がセル端のユーザＦに使用される。このため、アクティブセットであるセル２においてRB5での信号送信が禁止される。このようにアクティブセットに含まれるセルの間では、セル端のユーザに使用される周波数が同時に使用されないように配慮される。これにより周波数利用効率の改善効果が上記の実施例よりは落ちてしまうが、その分だけセル端での干渉を確実に抑制することができる。上記の例ではセル端のユーザへの割当が優先されたが、逆にセル近傍のユーザへの割当が優先されてもよい。
【００５０】
説明の便宜上、本発明が幾つかの実施例に分けて説明されてきたが、各実施例の区分けは本発明に本質的ではなく、１以上の実施例が必要に応じて使用されてよい。
【図面の簡単な説明】
【００５１】
【図１】従来の干渉コーディネーションにおける周波数割当例を示す図である。
【図２】本発明の一実施例による移動局及び基地局を示す図である。
【図３】干渉電力に応じて移動局をグループ分けする様子を示す図である。
【図４Ａ】リソースブロック及び送信電力の対応関係を示す図（その１）である。
【図４Ｂ】リソースブロック及び送信電力の対応関係を示す図（その２）である。
【図５】本発明の一実施例による移動局及び基地局を示す図である。
【図６】移動局、リソースブロック及び送信電力の対応関係を示す図である。
【図７】本発明の一実施例による移動局、基地局及び上位局を示す図である。
【図８】本発明の一実施例による周波数割当例を示す図である。
【図９】本発明の一実施例による周波数割当例を示す図である。
【図１０】本発明の一実施例による移動局、基地局及び上位局を示す図である。
【図１１】本発明の一実施例による動作を説明するための図である。
【符号の説明】
【００５２】
２１  受信品質測定部
２２，２３  受信品質通知部
２４  各UEのグループ化制御部
２５  各グループへの送信電力及び割り当てRB数の決定部
２６  RBの送信電力決定部
２７  周波数スケジューリング部
２８  送信電力補正部
【図１】
0004726662.tif 000002
【図２】
0004726662.tif 000003
【図３】
0004726662.tif 000004
【図４Ａ】
0004726662.tif 000005
【図４Ｂ】
0004726662.tif 000006
【図５】
0004726662.tif 000007
【図６】
0004726662.tif 000008
【図７】
0004726662.tif 000009
【図８】
0004726662.tif 000010
【図９】
0004726662.tif 000011
【図１０】
0004726662.tif 000012
【図１１】
0004726662.tif 000013